(57)【要約】拡張蓄電池用ケーブル１２は、出力コネクタ１１Ｃと嵌合可能な受電コネクタ１２Ａと、受電コネクタ１２Ａからの電力を供給先へ供給するための給電コネクタ１２Ｂと、コネクタケース１２Ｃと、拡張蓄電池２Ｘ等に接続するための拡張蓄電池側接続部１２Ｘと、基端側がコネクタケース１２Ｃに接続するとともに、先端側が拡張蓄電池側接続部１２Ｘに接続するコネクタコード１２Ｋと、を備える。受電コネクタ１２Ａと給電コネクタ１２Ｂとが一体に形成されている。【選択図】図２
2014097889.tif 000002
【特許請求の範囲】
【請求項１】
電力出力装置からの電力を受ける受電コネクタと、
前記電力を供給先へ供給する給電コネクタと、
前記受電コネクタ及び前記給電コネクタを電気的に接続する接続回路と、
前記接続回路及び一の蓄電池を電気的に接続する蓄電池接続部と、を備え、
前記受電コネクタと前記給電コネクタとが一体に形成され、
前記一の蓄電池を充電する場合、前記電力出力装置からの電力は前記受電コネクタを介して前記一の蓄電池へ供給され、
前記一の蓄電池から電力を出力する場合、前記一の蓄電池からの電力は前記給電コネクタまたは前記受電コネクタを介して前記電力の供給先へ供給されることを特徴とする電気接続部品。
【請求項２】
前記一の蓄電池を充電する場合、前記給電コネクタには前記電力出力装置からの電力を蓄電可能な他の蓄電池が接続されることを特徴とする請求項１記載の電気接続部品。
【請求項３】
前記一の蓄電池から電力を前記供給先へ供給する際は、前記受電コネクタには他の蓄電池が接続されることを特徴とする請求項１または２記載の電気接続部品。
【請求項４】
前記受電コネクタはオスコネクタであることを特徴とする請求項１ないし３のうちいずれか１項記載の電気接続具。
【請求項５】
前記給電コネクタはメスコネクタであることを特徴とする請求項４記載の電気接続具。
【請求項６】
前記一の蓄電池を前記電力出力装置または前記供給先に接続する場合、正極側の短絡が負極側の短絡よりも先に行われることを特徴とする請求項１ないし５のうちいずれか１項記載の電気接続具。
【請求項７】
前記受電コネクタと前記給電コネクタと前記蓄電池接続部との間の電気的接続を開閉する開閉機構を備え、
前記開閉機構は、
前記受電コネクタ、前記給電コネクタ及び前記蓄電池接続部が電気的に接続された並列接続位置と、
前記受電コネクタ、前記給電コネクタ及び前記蓄電池接続部が電気的に離れた離隔位置と、の間で遷移自在であることを特徴とする請求項１ないし６のうちいずれか１項記載の電気接続具。
【請求項８】
前記開閉機構は、
前記並列接続位置と、
前記離隔位置と、
前記受電コネクタ及び前記給電コネクタが電気的に接続されるとともに、前記蓄電池接続部が前記受電コネクタ及び前記給電コネクタから電気的に離れたスルー接続位置と、
の間で遷移自在であることを特徴とする請求項７記載の電気接続具。
【請求項９】
前記接続回路を収容するケースを備え、
前記受電コネクタは前記ケースの一方の面に設けられ、
前記給電コネクタは前記ケースのうち前記一方の面と反対側の面に設けられ、
前記蓄電池接続部は、前記ケースのうち、前記一方の面と前記反対側の面との間に位置する面に設けられることを特徴とする請求項１ないし８のうちいずれか１項記載の電気接続具。
【請求項１０】
前記ケースは、
前記一方の面及び前記他方の面の一方に設けられた凸部と、
他方に設けられた凹部と、を有し、
前記凸部と前記凹部とは互いに嵌合可能な形状を有することを特徴とする請求項９記載の電気接続具。
【請求項１１】
前記開閉機構は、
一部がコンセントの接触子に直接接続するプラグ電極と、一部が前記コンセントの接触子と接続するとともに、他部が前記接続回路と接続するクローズ位置と、前記コンセントの接触子が前記接続回路に対し電気的に離れたオープン位置との間で、前記プラグ電極を遷移自在にするプラグ電極遷移機構を有することを特徴とする請求項７ないし１０のうちいずれか１項記載の電気接続具。
【請求項１２】
前記接続回路を収容するケースを備え、
前記プラグ電極遷移機構は、ケースに設けられ前記プラグが挿入される挿入孔を有することを特徴とする請求項１１記載の電気接続具。
【請求項１３】
前記プラグ電極を前記オープン位置側へ付勢するプラグ電極付勢部材を備えたことを特徴とする請求項１１または１２記載の電気接続具。
【請求項１４】
前記プラグ電極と前記ケースとを連結する連結部材を備えることを特徴とする請求項１１ないし１３のうちいずれか１項記載の電気接続具。
【請求項１５】
一部がコンセントの接触子に直接接続するプラグ電極を備え、
前記開閉機構は、
前記プラグ電極と前記接続回路とが電気的に接触したクローズ位置と、前記プラグ電極と前記接続回路とが電気的に離れたオープン位置と、の間で遷移自在なスイッチと、
前記スイッチを遷移させるスイッチ遷移機構と、を有し、
前記スイッチ遷移機構は、
前記プラグ電極の他部側に設けられ、前記スイッチを保持するスイッチ保持具と、
前記プラグ電極を保持するプラグ電極保持具と、
前記プラグ電極保持具に対して相対的に前記スイッチ保持具を移動させるスイッチ移動具と、を有し、
前記スイッチ保持具の移動により、前記スイッチが前記オープン位置及び前記クローズ位置の間で相互に遷移することを特徴とすることを特徴とする請求項７ないし１０のうちいずれか１項記載の電気接続具。
【請求項１６】
前記スイッチ遷移機構は、
ロック具による操作を介して前記スイッチを遷移させるものであり、
前記プラグ電極保持具に設けられ前記ロック具が貫通可能な貫通孔と、
前記プラグ電極保持具において前記貫通孔から前記スイッチ保持具の移動方向へ延び、前記ロック具が通過可能なガイドスリットと、
前記ガイドスリットに設けられ前記ガイドスリットにおける前記ロック具の先端部の通過を規制する先端部通過規制具と、
前記スイッチ保持具に設けられ前記ロック具の先端部と係合する先端係合部と、を有し、
前記スイッチが前記オープン位置の場合には、前記ロック具が前記貫通孔において挿抜自在であり、かつ、前記貫通孔に挿入された前記ロック具の先端部が前記先端係合部と係合するように前記貫通孔から前記係合部が露出し、
前記スイッチが前記クローズ位置の場合には、前記係合部が前記先端部通過規制具と重なることを特徴とすることを特徴とする請求項１５記載の電気接続具。
【請求項１７】
一部がコンセントの接触子に直接接続するプラグ電極を有し、
前記開閉機構は、
前記プラグ電極と前記接続回路とが電気的に接触したクローズ位置と、前記プラグ電極と前記接続回路とが電気的に離れたオープン位置と、の間で遷移自在なスイッチと、
前記スイッチを遷移させるスイッチ遷移機構と、
前記スイッチの遷移を規制するスイッチ遷移規制機構と、を有し、
自身が前記コンセントに嵌合した状態では、前記スイッチ遷移規制機構は、前記クローズ位置を維持するとともに、前記オープン位置への遷移を禁止することを特徴とする請求項７ないし１０のうちいずれか１項記載の電気接続具。
【請求項１８】
前記接続回路を収容するケースを備え、
前記スイッチ遷移規制機構は、
自身が前記コンセントと嵌合した際前記ケースのうち前記コンセントと正対する面において、前記ケースから突出した突出位置と前記突出位置から退避した退避位置との間で移動自在となるように設けられた嵌合スイッチを有し、
前記嵌合スイッチが前記突出位置の場合は、前記スイッチは前記オープン位置であり、
前記嵌合スイッチが前記退避位置の場合は、前記スイッチは前記クローズ位置であることを特徴とする請求項１７記載の電気接続具。
【請求項１９】
一部がコンセントの接触子に直接接続するプラグ電極を備え、
前記開閉機構は、
前記プラグ電極と前記接続回路とが電気的に接触したクローズ位置と、前記プラグ電極と前記接続回路とが電気的に離れたオープン位置と、の間で遷移自在なスイッチと、
前記スイッチを遷移させるスイッチ遷移機構と、
前記スイッチの遷移を規制するスイッチ遷移規制機構と、を有し、
自身が前記コンセントから外れた状態では、前記スイッチ遷移規制機構は、前記オープン位置を維持するとともに、前記クローズ位置への遷移を禁止することを特徴とする請求項７ないし１０、１７、１８のうちいずれか１項記載の電気接続具。
【請求項２０】
前記接続回路を収容するケースを備え、
前記スイッチ遷移規制機構は、
自身が前記コンセントと嵌合した際前記ケースのうち前記コンセントと正対する面において、前記ケースから突出した突出位置と前記突出位置から退避した退避位置との間で移動自在となるように設けられた嵌合スイッチと、
前記スイッチを前記オープン位置にて係止するオープンロック状態と、前記オープンロック状態から退避したオープンロック解除状態との間で遷移自在なロック部材と、を備え、
前記嵌合スイッチが突出位置の場合には、前記ロック部材は前記オープンロック状態となり、
前記嵌合スイッチが退避位置の場合には、前記ロック部材は前記オープンロック解除状態となることを特徴とする請求項１９記載の電気接続具。
【請求項２１】
前記嵌合スイッチを前記突出位置へ付勢する嵌合スイッチ付勢部材を備えたことを特徴とする請求項１７ないし２０のうちいずれか１項記載の電気接続具。
【請求項２２】
前記スイッチ遷移規制機構は、
前記オープン位置の前記スイッチに係合するオープン位置係合具と、
前記クローズ位置の前記スイッチに係合するクローズ位置係合具と、
を有することを特徴とする請求項１５ないし２１のうちいずれか１項記載の電気接続具。
【請求項２３】
電力出力装置からの電力を受ける受電コネクタと、
前記電力を供給先へ供給する給電コネクタと、
前記受電コネクタと前記給電コネクタとを接続する接続回路を備え、
前記接続回路は、前記受電コネクタと前記給電コネクタとの間の電気的接続を開閉する開閉機構を有し、
前記受電コネクタまたは前記給電コネクタは、一部がコンセントの接触子に直接接続するプラグ電極を有し、
前記開閉機構は、一部が前記コンセントの接触子と直接接続するとともに、他部が前記接続回路と接続するクローズ位置と、前記コンセントの接触子が前記接続回路に対し電気的に離れたオープン位置との間で、前記プラグ電極を遷移自在にするプラグ電極遷移機構を有することを特徴とする電気接続具。
【請求項２４】
電力出力装置からの電力を受ける受電コネクタと、
前記電力を供給先へ供給する給電コネクタと、
前記受電コネクタと前記給電コネクタとを接続する接続回路を備え、
前記受電コネクタまたは前記給電コネクタは、一部がコンセントの接触子に直接接続するプラグ電極を有し、
前記接続回路は、前記受電コネクタと前記給電コネクタとの間の電気的接続を開閉する開閉機構を有し、
前記開閉機構は、
前記プラグ電極と前記接続回路とが電気的に接触したクローズ位置と、前記プラグ電極と前記接続回路とが電気的に離れたオープン位置と、の間で遷移自在なスイッチと、
前記スイッチを遷移させるスイッチ遷移機構と、を有し、
前記スイッチ遷移機構は、
前記プラグ電極の他部側に設けられ、前記スイッチを保持するスイッチ保持具と、
前記プラグ電極を保持するプラグ電極保持具と、
前記プラグ電極保持具に対して相対的に前記スイッチ保持具を移動させるスイッチ移動具と、を有し、
前記スイッチ保持具の移動により、前記スイッチが前記オープン位置及び前記クローズ位置の間で相互に遷移することを特徴とする電気接続具。
【請求項２５】
電力を出力する電力出力装置側からの電力を受ける受電コネクタと、
前記電力を供給先へ供給する給電コネクタと、
前記受電コネクタと前記給電コネクタとを接続する接続回路を備え、
前記受電コネクタまたは前記給電コネクタは、一部がコンセントの接触子に直接接続するプラグ電極を有し、
前記接続回路は、前記受電コネクタと前記給電コネクタとの間の電気的接続を開閉する開閉機構を有し、
前記開閉機構は、
前記プラグ電極と前記接続回路とが電気的に接触したクローズ位置と、前記プラグ電極と前記接続回路とが電気的に離れたオープン位置と、の間で遷移自在なスイッチと、
前記スイッチを遷移させるスイッチ遷移機構と、
前記スイッチの遷移を規制するスイッチ遷移規制機構と、を有し、
自身が前記コンセントに嵌合した状態では、前記スイッチ遷移規制機構は、前記クローズ位置を維持するとともに、前記オープン位置への遷移を禁止することを特徴とする電気接続具。
【請求項２６】
電力出力装置からの電力を受ける受電コネクタと、
前記電力を供給先へ供給する給電コネクタと、
前記受電コネクタ及び前記給電コネクタを電気的に接続する接続回路と、
前記接続回路及び一の蓄電池を電気的に接続する蓄電池接続部と、を備え、
前記受電コネクタの電極部分は、前記給電コネクタの電極部分と嵌合可能なことを特徴とする電気接続部品。
【請求項２７】
電力出力装置からの電力を受ける受電コネクタと、
前記電力を供給先へ供給する給電コネクタと、
前記受電コネクタ及び前記給電コネクタを電気的に接続する接続回路と、
前記接続回路及び一の蓄電池を電気的に接続する蓄電池接続部と、を備え、
前記受電コネクタと嵌合可能な第１コネクタは、前記給電コネクタと嵌合可能な第２コネクタに対して直接嵌合可能なことを特徴とする電気接続部品。
【発明の詳細な説明】
【技術分野】
【０００１】
本発明は、電気接続部品に関する。
【背景技術】
【０００２】
昨今のエネルギー事情により、省エネルギーが叫ばれており、発電された電力を効率よく管理することが望まれている。例えば、特開昭５９−６１４３４号公報には、蓄電池を充電するための電気接続部品が開示されている。この電気接続部品によれば、車両に搭載された蓄電池（以下、車載蓄電池と称する）の電力を、家庭用電力として利用できる。
【発明の概要】
【発明が解決しようとする課題】
【０００３】
しかしながら、現実には、発電された電力が無駄となっているケースは多い。以下、この問題点について、車載蓄電池や家庭用蓄電池のケースを例に挙げて、説明する。【０００４】
オルタネータが発電した電力は、車載蓄電池に蓄えられ、車載部品を使用する度に消費される。しかしながら、限界まで電力が蓄えられた車載蓄電池に対して、これ以上の電力を蓄えることができない。この場合には、オルタネータが発電した折角の電力を捨てることとなってしまう。【０００５】
このように、車載のオルタネータが発電した電力を有効活用するためには、車載蓄電池の電力を車載部品以外の他の用途にも利用可能にすることが望ましい。ここで、車載部品以外の他の用途としては、例えば、家庭内の電化製品、緊急救助に用いられる装置や、キャンプ用製品（照明、電動シャワー等）がある。そして、車載蓄電池の電力を車載部品以外の他の用途で利用しようとする場合には、特許文献１のような電気接続部品を用いて、車載蓄電池と他の電力系統とを接続すればよい。【０００６】
ところで、車載蓄電池においては、車両に搭載された駆動装置（エンジンやモータ等）やオルタネータの運転のために必要な電力量が、常に確保されなければならない。しかしながら、他の電力系統と車載蓄電池との接続に際し、特許文献１の電気接続部品をそのまま用いてしまうと、車載部品に必要な電力量までもが消費されてしまうおそれがある。この結果、車載の駆動装置や発電機を作動させることができなくなってしまう。【０００７】
家庭用の太陽光パネルとともに併設された家庭用蓄電池についても同様であり、太陽光パネルが発電した電力を、家庭用途以外の用途（例えば、緊急救助に用いられる装置）としても利用できることが好ましい。しかしながら、他の電力系統と家庭用蓄電池との接続に際し、特許文献１の電気接続部品をそのまま用いてしまうと、家庭内の電化製品への電力の安定供給が困難なものなってしまう。【０００８】
したがって、車載蓄電池や家庭用蓄電池にたまった電力を、他の用途の電力として用いる場合には、これらとは別の蓄電池（予備の蓄電池と称する）を併用することが好ましい。しかしながら、車載蓄電池や家庭用蓄電池のみならず予備の蓄電池もまた、電極がむき出しになっているため、電気工事を通常行わない者が、配線作業を行うことは非常に危険である。【０００９】
本発明は、斯かる実情に鑑み、複数の蓄電池に電力を蓄電する場合や、複数の蓄電池から電力を供給する場合の配線作業を安全なものにする電気接続部品を提供しようとするものである。
【課題を解決するための手段】
【００１０】
本発明の電気接続部品は、電力出力装置からの電力を受ける受電コネクタと、前記電力を供給先へ供給する給電コネクタと、前記受電コネクタ及び前記給電コネクタを電気的に接続する接続回路と、前記接続回路及び一の蓄電池を電気的に接続する蓄電池接続部と、を備え、前記受電コネクタと前記給電コネクタとが一体に形成され、前記一の蓄電池を充電する場合、前記電力出力装置からの電力は前記受電コネクタを介して前記一の蓄電池へ供給され、前記一の蓄電池から電力を出力する場合、前記一の蓄電池からの電力は前記給電コネクタまたは前記受電コネクタを介して前記電力の供給先へ供給されることを特徴とする。【００１１】
前記一の蓄電池を充電する場合、前記給電コネクタには前記電力出力装置からの電力を蓄電可能な他の蓄電池が接続されることが好ましい。また、前記一の蓄電池から電力を前記供給先へ供給する際は、前記受電コネクタには他の蓄電池が接続されることが好ましい。【００１２】
前記受電コネクタはオスコネクタであることが好ましい。また、前記給電コネクタはメスコネクタであることが好ましい。さらに、前記一の蓄電池を前記電力出力装置または前記供給先に接続する場合、正極側の短絡が負極側の短絡よりも先に行われることが好ましい。【００１３】
前記受電コネクタと前記給電コネクタと前記蓄電池接続部との間の電気的接続を開閉する開閉機構を備え、前記開閉機構は、前記受電コネクタ、前記給電コネクタ及び前記蓄電池接続部が電気的に接続された並列接続位置と、前記受電コネクタ、前記給電コネクタ及び前記蓄電池接続部が電気的に離れた離隔位置と、の間で遷移自在であることが好ましい。また、前記開閉機構は、前記並列接続位置と、前記離隔位置と、前記受電コネクタ及び前記給電コネクタが電気的に接続されるとともに、前記蓄電池接続部が前記受電コネクタ及び前記給電コネクタから電気的に離れたスルー接続位置と、の間で遷移自在であることが好ましい。【００１４】
前記接続回路を収容するケースを備え、前記受電コネクタは前記ケースの一方の面に設けられ、前記給電コネクタは前記ケースのうち前記一方の面と反対側の面に設けられ、前記蓄電池接続部は、前記ケースのうち、前記一方の面と前記反対側の面との間に位置する面に設けられることが好ましい。また、前記ケースは、前記一方の面及び前記他方の面の一方に設けられた凸部と、他方に設けられた凹部と、を有し、前記凸部と前記凹部とは互いに嵌合可能な形状を有することが好ましい。【００１５】
前記開閉機構は、一部がコンセントの接触子に直接接続するプラグ電極と、一部が前記コンセントの接触子と接続するとともに、他部が前記接続回路と接続するクローズ位置と、前記コンセントの接触子が前記接続回路に対し電気的に離れたオープン位置との間で、前記プラグ電極を遷移自在にするプラグ電極遷移機構を有することが好ましい。また、前記接続回路を収容するケースを備え、前記プラグ電極遷移機構は、ケースに設けられ前記プラグが挿入される挿入孔を有することが好ましい。さらに、前記プラグ電極を前記オープン位置側へ付勢するプラグ電極付勢部材を備えたことが好ましい。加えて、前記プラグ電極と前記ケースとを連結する連結部材を備えることが好ましい。【００１６】
一部がコンセントの接触子に直接接続するプラグ電極を備え、前記開閉機構は、前記プラグ電極と前記接続回路とが電気的に接触したクローズ位置と、前記プラグ電極と前記接続回路とが電気的に離れたオープン位置と、の間で遷移自在なスイッチと、前記スイッチを遷移させるスイッチ遷移機構と、を有し、前記スイッチ遷移機構は、前記プラグ電極の他部側に設けられ、前記スイッチを保持するスイッチ保持具と、前記プラグ電極を保持するプラグ電極保持具と、前記プラグ電極保持具に対して相対的に前記スイッチ保持具を移動させるスイッチ移動具と、を有し、前記スイッチ保持具の移動により、前記スイッチが前記オープン位置及び前記クローズ位置の間で相互に遷移することが好ましい。また、前記スイッチ遷移機構は、ロック具による操作を介して前記スイッチを遷移させるものであり、前記プラグ電極保持具に設けられ前記ロック具が貫通可能な貫通孔と、前記プラグ電極保持具において前記貫通孔から前記スイッチ保持具の移動方向へ延び、前記ロック具が通過可能なガイドスリットと、前記ガイドスリットに設けられ前記ガイドスリットにおける前記ロック具の先端部の通過を規制する先端部通過規制具と、前記スイッチ保持具に設けられ前記ロック具の先端部と係合する先端係合部と、を有し、前記スイッチが前記オープン位置の場合には、前記ロック具が前記貫通孔において挿抜自在であり、かつ、前記貫通孔に挿入された前記ロック具の先端部が前記先端係合部と係合するように前記貫通孔から前記係合部が露出し、前記スイッチが前記クローズ位置の場合には、前記係合部が前記先端部通過規制具と重なることが好ましい。【００１７】
一部がコンセントの接触子に直接接続するプラグ電極を有し、前記開閉機構は、前記プラグ電極と前記接続回路とが電気的に接触したクローズ位置と、前記プラグ電極と前記接続回路とが電気的に離れたオープン位置と、の間で遷移自在なスイッチと、前記スイッチを遷移させるスイッチ遷移機構と、前記スイッチの遷移を規制するスイッチ遷移規制機構と、を有し、自身が前記コンセントに嵌合した状態では、前記スイッチ遷移規制機構は、前記クローズ位置を維持するとともに、前記オープン位置への遷移を禁止することが好ましい。【００１８】
前記接続回路を収容するケースを備え、前記スイッチ遷移規制機構は、自身が前記コンセントと嵌合した際前記ケースのうち前記コンセントと正対する面において、前記ケースから突出した突出位置と前記突出位置から退避した退避位置との間で移動自在となるように設けられた嵌合スイッチを有し、前記嵌合スイッチが前記突出位置の場合は、前記スイッチは前記オープン位置であり、前記嵌合スイッチが前記退避位置の場合は、前記スイッチは前記クローズ位置であることが好ましい。【００１９】
一部がコンセントの接触子に直接接続するプラグ電極を備え、前記開閉機構は、前記プラグ電極と前記接続回路とが電気的に接触したクローズ位置と、前記プラグ電極と前記接続回路とが電気的に離れたオープン位置と、の間で遷移自在なスイッチと、前記スイッチを遷移させるスイッチ遷移機構と、前記スイッチの遷移を規制するスイッチ遷移規制機構と、を有し、自身が前記コンセントから外れた状態では、前記スイッチ遷移規制機構は、前記オープン位置を維持するとともに、前記クローズ位置への遷移を禁止することが好ましい。【００２０】
前記接続回路を収容するケースを備え、前記スイッチ遷移規制機構は、自身が前記コンセントと嵌合した際前記ケースのうち前記コンセントと正対する面において、前記ケースから突出した突出位置と前記突出位置から退避した退避位置との間で移動自在となるように設けられた嵌合スイッチと、前記スイッチを前記オープン位置にて係止するオープンロック状態と、前記オープンロック状態から退避したオープンロック解除状態との間で遷移自在なロック部材と、を備え、前記嵌合スイッチが突出位置の場合には、前記ロック部材は前記オープンロック状態となり、前記嵌合スイッチが退避位置の場合には、前記ロック部材は前記オープンロック解除状態となることが好ましい。【００２１】
前記嵌合スイッチを前記突出位置へ付勢する嵌合スイッチ付勢部材を備えたことが好ましい。また、前記スイッチ遷移規制機構は、前記オープン位置の前記スイッチに係合するオープン位置係合具と、前記クローズ位置の前記スイッチに係合するクローズ位置係合具と、を有することが好ましい。【００２２】
また、本発明の電気接続部品は、電力を出力する電力出力装置側からの電力を受ける受電コネクタと、電力の供給先へ供給する給電コネクタと、前記受電コネクタと前記給電コネクタとを接続する接続回路を備え、前記接続回路は、前記受電コネクタと前記給電コネクタとの間の電気的接続を開閉する開閉機構を有し、前記開閉機構は、前記受電コネクタまたは前記給電コネクタに設けられ、一部がコンセントの接触子に直接接続するプラグ電極と、一部が前記コンセントの接触子と直接接続するとともに、他部が前記接続回路と接続するクローズ位置と、前記コンセントの接触子が前記接続回路に対し電気的に離れたオープン位置との間で、前記プラグ電極を遷移自在にするプラグ電極遷移機構を有することを特徴とする。【００２３】
さらに、本発明の電気接続部品は、電力を出力する電力出力装置側からの電力を受ける受電コネクタと、電力の供給先へ供給する給電コネクタと、前記受電コネクタと前記給電コネクタとを接続する接続回路を備え、前記受電コネクタまたは前記給電コネクタは、一部がコンセントの接触子に直接接続するプラグ電極を有し、前記接続回路は、前記受電コネクタと前記給電コネクタとの間の電気的接続を開閉する開閉機構を有し、前記開閉機構は、前記プラグ電極と前記接続回路とが電気的に接触したクローズ位置と、前記プラグ電極と前記接続回路とが電気的に離れたオープン位置と、の間で遷移自在なスイッチと、前記スイッチを遷移させるスイッチ遷移機構と、を有し、前記スイッチ遷移機構は、前記プラグ電極の他部側に設けられ、前記スイッチを保持するスイッチ保持具と、前記プラグ電極を保持するプラグ電極保持具と、前記プラグ電極保持具に対して相対的に前記スイッチ保持具を移動させるスイッチ移動具と、を有し、前記スイッチ保持具の移動により、前記スイッチが前記オープン位置及び前記クローズ位置の間で相互に遷移することを特徴とする。【００２４】
加えて、本発明の電気接続部品は、電力を出力する電力出力装置側からの電力を受ける受電コネクタと、電力の供給先へ供給する給電コネクタと、前記受電コネクタと前記給電コネクタとを接続する接続回路を備え、前記受電コネクタまたは前記給電コネクタは、一部がコンセントの接触子に直接接続するプラグ電極を有し、前記接続回路は、前記受電コネクタと前記給電コネクタとの間の電気的接続を開閉する開閉機構を有し、前記開閉機構は、前記プラグ電極と前記接続回路とが電気的に接触したクローズ位置と、前記プラグ電極と前記接続回路とが電気的に離れたオープン位置と、の間で遷移自在なスイッチと、前記スイッチを遷移させるスイッチ遷移機構と、前記スイッチの遷移を規制するスイッチ遷移規制機構と、を有し、自身が前記コンセントに嵌合した状態では、前記スイッチ遷移規制機構は、前記クローズ位置を維持するとともに、前記オープン位置への遷移を禁止することを特徴とする。【００２５】
本発明の電気接続部品は、電力出力装置からの電力を受ける受電コネクタと、前記電力を供給先へ供給する給電コネクタと、前記受電コネクタ及び前記給電コネクタを電気的に接続する接続回路と、前記接続回路及び一の蓄電池を電気的に接続する蓄電池接続部と、を備え、前記受電コネクタの電極部分は、前記給電コネクタの電極部分と嵌合可能なことを特徴とする。【００２６】
本発明の電気接続部品は、電力出力装置からの電力を受ける受電コネクタと、前記電力を供給先へ供給する給電コネクタと、前記受電コネクタ及び前記給電コネクタを電気的に接続する接続回路と、前記接続回路及び一の蓄電池を電気的に接続する蓄電池接続部と、を備え、前記受電コネクタと嵌合可能な第１コネクタは、前記給電コネクタと嵌合可能な第２コネクタに対して直接嵌合可能なことを特徴とする。
【発明の効果】
【００２７】
本発明によれば、複数の蓄電池に電力を蓄電する場合や、複数の蓄電池から電力を供給する場合の配線作業を安全なものにするといった優れた効果を奏し得る。
【図面の簡単な説明】
【００２８】
【図１】自動車に搭載された車載蓄電池及び拡張蓄電池の概要を示す説明図である。
【図２】（Ａ）、（Ｂ）は、車載蓄電池の電力を用いて拡張蓄電池を充電する際の接続形態の概要を示す説明図である。
【図３】拡張蓄電池用ケーブルの概要を示す説明図である。
【図４】拡張蓄電池用ケーブルの概要を示す説明図である。
【図５】拡張蓄電池の電力を他の電気機械へ供給する際の接続形態の概要を示す説明図である。
【図６】蓄電池収納具の概要を示す正面図である。
【図７】板状の蓄電池の概要を示す斜視図である。
【図８】（Ａ）スイッチ棒が離隔位置に位置する場合の蓄電池コネクタのＶＩＩＩａ−ＶＩＩＩａ線断面図である。    （Ｂ）スイッチ棒がスルー接続位置に位置する場合の蓄電池コネクタのＶＩＩＩｂ−ＶＩＩＩｂ線断面図である。
【図９】（Ａ）スイッチ棒が離隔位置に位置する場合の蓄電池コネクタのＩＸａ−ＩＸａ線断面図である。    （Ｂ）スイッチ棒が並列接続位置に位置する場合の蓄電池コネクタのＩＸｂ−ＩＸｂ線断面図である。    （Ｃ）スイッチ棒がスルー接続位置に位置する場合の蓄電池コネクタのＩＸｂ−ＩＸｂ線断面図である。
【図１０】（Ａ）蓄電池収納ケースの概要を示す斜視図である。    （Ｂ）蓄電池収納ケースの概要を示す正面図である。
【図１１】（Ａ）蓄電池コネクタの概要を示す断面図である。    （Ｂ）複数の蓄電池２Ｘが嵌合された場合の、蓄電池コネクタの概要を示す断面図である。
【図１２】（Ａ）互いに嵌合した状態のプラグ及びコンセントの概要を示すＸＩＩａ−ＸＩＩａ線断面図である。    （Ｂ）プラグ及びコンセントの概要を示すＸＩＩａ−ＸＩＩａ線分解断面図である。
【図１３】（Ａ）電極保持板の概要を示す正面図である。    （Ｂ）電極保持板の貫通孔及びガイドスリット近傍の概要を示す拡大図である。
【図１４】（Ａ）スイッチ保持板の概要を示す正面図である。    （Ｂ）スイッチ保持板の凹み部の概要を示す拡大図である。
【図１５】（Ａ）オープン状態のスイッチの概要を示す説明図である。    （Ｂ）スイッチがオープン状態である場合の貫通孔、ガイドスリット及び先端係合穴の位置関係の概要を示す説明図である。    （Ｃ）クローズ状態のスイッチの概要を示す説明図である。    （Ｄ）スイッチがクローズ状態である場合の貫通孔、ガイドスリット及び先端係合穴の位置関係の概要を示す説明図である。
【図１６】プラグの概要を示す説明図である。
【図１７】（Ａ）スイッチがオープン位置となった場合のプラグの概要を示す説明図である。    （Ｂ）スイッチが正極側のみクローズ位置となった場合のプラグの概要を示す説明図である。    （Ｃ）スイッチが正極・負極ともにクローズ位置となった場合のプラグの概要を示す説明図である。
【図１８】（Ａ）スイッチがオープン位置となった場合のプラグの概要を示す説明図である。    （Ｂ）スイッチがクローズ位置となった場合のプラグの概要を示す説明図である。
【図１９】（Ａ）嵌合スイッチが突出位置、ロックバーがオープンロック状態、スイッチがオープン位置、となった場合のプラグの概要を示す説明図である。    （Ｂ）嵌合スイッチが退避位置、ロックバーがオープンロック解除状態、スイッチがオープン位置、となった場合のプラグの概要を示す説明図である。    （Ｃ）嵌合スイッチが退避位置、ロックバーがオープンロック解除状態、スイッチがクローズ位置、となった場合のプラグの概要を示す説明図である。
【図２０】ロック機構の概要を示す説明図である。
【図２１】（Ａ）は、２本の電源ケーブル、拡張蓄電池、及び、これらを電気的に接続可能な拡張蓄電池用ケーブルの概要を示す説明図である。（Ｂ）は、拡張蓄電池用ケーブルによって、２本の電源ケーブル及び拡張蓄電池の三者間における送電が可能となった状態を示す説明図である。（Ｃ）は、拡張蓄電池用ケーブルによって、２本の電源ケーブルの二者間のみにおける送電が可能となった状態を示す説明図である。
【発明を実施するための形態】
【００２９】
以下、本発明の実施の形態を、添付図面を参照して説明する。
【００３０】
図１に示すように、自動車２には、エンジンからの動力によって発電を行うオルタネータ２Ａと、オルタネータ２Ａが発電した電力を蓄える車載蓄電池２Ｂと、オルタネータ２Ａ及び車載蓄電池２Ｂをつなぐ回路２Ｃと、が備えられる。車載蓄電池２Ｂは、セルモータやヘッドライトといった車載部品に対し所定の電力を供給する。さらに、自動車２には、拡張蓄電池２Ｘと、電気接続ユニット１０とが備えられる。電気接続ユニット１０は、車載蓄電池２Ｂ及び拡張蓄電池２Ｘを電気的に接続する。
【００３１】
図２（Ａ）に示すように、電気接続ユニット１０は、車載蓄電池用ケーブル１１と、拡張蓄電池用ケーブル１２と、を有する。車載蓄電池用ケーブル１１は、オルタネータ側端子１１Ａと、車載蓄電池側接続部１１Ｂと、出力コネクタ１１Ｃと、を備える。オルタネータ側端子１１Ａは、オルタネータ２Ａに接続される。車載蓄電池側接続部１１Ｂは、車載蓄電池２Ｂの出力端子２ＢＴに接続される。出力コネクタ１１Ｃは、拡張蓄電池用ケーブル１２に接続される。
【００３２】
拡張蓄電池用ケーブル１２は、電力を受けるための受電コネクタ１２Ａと、受電コネクタ１２Ａからの電力を供給先へ供給するための給電コネクタ１２Ｂと、コネクタケース１２Ｃと、拡張蓄電池２Ｘ等に接続するための拡張蓄電池側接続部１２Ｘと、基端側がコネクタケース１２Ｃに接続するとともに、先端側が拡張蓄電池側接続部１２Ｘに接続するコネクタコード１２Ｋと、を備える。
【００３３】
さらに、拡張蓄電池用ケーブル１２は接続回路を有する。この接続回路は、図３に示すように、受電コネクタ１２Ａから給電コネクタ１２Ｂまで延びるスルー接続回路１２Ｅと、スルー接続回路１２Ｅから分岐した分岐接続回路１２Ｆと、を備える。
【００３４】
コネクタケース１２Ｃは、箱状に形成され、一方のケース面１２ＣＡ側には受電コネクタ１２Ａが、ケース面１２ＣＡと反対側のケース面１２ＣＢには給電コネクタ１２Ｂが、それぞれ形成されている。すなわち、受電コネクタ１２Ａと給電コネクタ１２Ｂとが一体に形成されている。また、コネクタケース１２Ｃは、スルー接続回路１２Ｅを収容する。
さらに、受電コネクタ１２Ａが設けられたケース面１２ＣＡと、給電コネクタ１２Ｂが設けられたケース面１２ＣＢと、の間に位置するケース面１２ＣＤからは、コネクタコード１２Ｋが延びる。分岐接続回路１２Ｆは、コネクタケース１２Ｃ及びコネクタコード１２Ｋに収容される。
【００３５】
受電コネクタ１２Ａは、いわゆるオスコネクタであり、正極のプラグ電極（以下、正極プラグと称する）１２ＡＰと、負極のプラグ電極（以下、負極プラグと称する）１２ＡＮと、を有する。給電コネクタ１２Ｂは、いわゆるメスコネクタであり、正極のコンタクト（以下、正極コンタクトと称する）１２ＢＰと、負極のコンタクト（以下、負極コンタクトと称する）１２ＢＮと、を有する。そして、受電コネクタ１２Ａは、出力コネクタ１１Ｃや、他の拡張蓄電池用ケーブル１２の給電コネクタ１２Ｂと嵌合可能である。拡張蓄電池側接続部１２Ｘは、正極の圧着端子１２ＤＰと、負極の圧着端子１２ＤＮとを有する。
【００３６】
スルー接続回路１２Ｅは、正極プラグ１２ＡＰと正極コンタクト１２ＢＰとを電気的に接続するとともに、負極プラグ１２ＡＮと負極コンタクト１２ＢＮとを電気的に接続する。また、分岐接続回路１２Ｆは、正極の圧着端子１２ＤＰを、正極プラグ１２ＡＰ及び正極コンタクト１２ＢＰに対し電気的に接続し、負極の圧着端子１２ＤＮを、負極プラグ１２ＡＮ及び負極コンタクト１２ＢＮに対し電気的に接続する。
【００３７】
また、ケース面１２ＣＡを基準とした場合の正極プラグ１２ＡＰの突出量ＴＡＰは、ケース面１２ＣＡを基準とした場合の負極プラグ１２ＡＮの突出量ＴＡＮよりも小さい。一方、ケース面１２ＣＢを基準とした場合の正極コンタクト１２ＢＰの深さＤＢＰと、ケース面１２ＣＢを基準とした場合の負極コンタクト１２ＢＮの深さＤＢＮとは等しい、このような受電コネクタ１２Ａを、別途の拡張蓄電池用ケーブル１２の給電コネクタ１２Ｂへ嵌合することにより、正極プラグ１２ＡＰと正極コンタクト１２ＢＰとが電気的に接触するタイミングを、負極プラグ１２ＡＮと負極コンタクト１２ＢＮとが電気的に接触するタイミングよりも先に行うことができる。同様に、別途の拡張蓄電池用ケーブル１２の給電コネクタ１２Ｂから受電コネクタ１２Ａを外す場合には、正極プラグ１２ＡＰと正極コンタクト１２ＢＰとが電気的に離れるタイミングを、負極プラグ１２ＡＮと負極コンタクト１２ＢＮとが電気的に離れるタイミングよりも後にすることができる。これにより、正極側・負極側のうち負極側のみが電気的に接触する状態を回避することができる。
【００３８】
なお、図４に示すように、正極プラグ１２ＡＰの突出量Ｔ１と負極プラグ１２ＡＮの突出量Ｔ２とを等しくする代わりに、正極コンタクト１２ＢＰの深さＤＢＰを、負極コンタクト１２ＢＮの深さＤＢＮよりも小さくしてもよい。これにより、正極・負極のうち負極側のみが電気的に接触する状態を回避することができる。
【００３９】
次に、拡張蓄電池用ケーブル１２の使用方法について説明する。
【００４０】
図２（Ａ）に示すように、拡張蓄電池用ケーブル１２においては、オスコネクタである受電コネクタ１２Ａと、メスコネクタである給電コネクタ１２Ｂとが一体となって形成されている。このため、１本の車載蓄電池用ケーブル１１とともに、複数の拡張蓄電池用ケーブル１２を用意すれば、車載蓄電池２Ｂに対し複数の拡張蓄電池２Ｘを並列に充電することができる。
【００４１】
また、複数の拡張蓄電池２Ｘに蓄積された電力を、別途の電気機器１６へ供給する場合には、拡張蓄電池用ケーブル１２を用いて、複数の拡張蓄電池２Ｘとインバータ１７とを接続すればよい（図５参照）。これにより、複数の拡張蓄電池２Ｘに蓄積された電力を、インバータ１７に接続された電気機器１６へ供給することができる。
【００４２】
したがって、車載蓄電池用ケーブル１１と拡張蓄電池用ケーブル１２との組み合わせは、複数の拡張蓄電池２Ｘを並列に充電または放電する際の基本形態である。また、拡張蓄電池用ケーブル１２単体は、拡張蓄電池２Ｘの接続数を増加したい場合に用いられるオプション構成となる。
【００４３】
さらに、複数の拡張蓄電池２Ｘに蓄積された電力を、別途の電気機器１６へ供給する場合に、拡張蓄電池用ケーブル１２を車載蓄電池用ケーブル１１（図２（Ａ））から外しておくことにより、車載蓄電池２Ｂの電力は、インバータ１７へ出力されずに済む。
【００４４】
なお、図５では、拡張蓄電池用ケーブル１２の給電コネクタ１２Ｂから、当該拡張蓄電池用ケーブル１２に直接接続した拡張蓄電池２Ｘの電力を出力したが、拡張蓄電池用ケーブル１２の受電コネクタ１２Ａから、当該拡張蓄電池２Ｘの電力を出力してもよい。
【００４５】
また、「車載蓄電池用ケーブル１１と拡張蓄電池用ケーブル１２との組み合わせ」に代えて、図２（Ｂ）に示す拡張蓄電池用ケーブル１３を用いてもよい。拡張蓄電池用ケーブル１３は、オルタネータ側端子１３Ａと、車載蓄電池側接続部１３Ｂと、出力コネクタ１３Ｃと、拡張蓄電池側接続部１３Ｘと、を備える。車載蓄電池側接続部１３Ｂは、車載蓄電池２Ｂの出力端子に接続される。出力コネクタ１３Ｃは、図２（Ａ）に示す拡張蓄電池用ケーブル１２または、図５に示すインバータ１７などが接続される。オルタネータ側端子１３Ａは、オルタネータ２Ａに接続される。拡張蓄電池側接続部１３Ｘは、拡張蓄電池２Ｘまたは、図５に示すインバータ１７などに接続される。さらに、拡張蓄電池用ケーブル１３は、スイッチ１３Ｓを備えていることが好ましい。スイッチ１３Ｓは、スイッチ１３Ｓを境に両側の電気系統を短絡する短絡状態と、両側の電気系統を解放する解放状態の間で遷移自在である。そして、スイッチ１３Ｓの解放状態にしておけば、車載蓄電池２Ｂの電力は、出力コネクタ１３Ｃ等から出力されずに済む。
【００４６】
なお、拡張蓄電池側接続部１２Ｘが受電コネクタ１２Ａと給電コネクタ１２Ｂと一体に形成されていてもよい。また、拡張蓄電池側接続部１２Ｘは、コネクタであってもよい。
【００４７】
上記実施形態では、受電コネクタ１２Ａをオスコネクタと、給電コネクタ１２Ｂをメスコネクタとしたが、本発明はこれに限られず、受電コネクタ１２Ａ及び給電コネクタ１２Ｂをいずれもオスコネクタまたはメスコネクタとしてもよい。
【００４８】
上記実施形態では、受電コネクタ１２Ａの接続先が車載蓄電池であった本発明は、これに限られず、電力を出力する電力出力装置であればよい。この電力出力装置としては、車載蓄電池の他、一般の蓄電池や、オルタネータなどの発電機でもよい。
【００４９】
ところで、前述の拡張蓄電池用ケーブル１２の受電コネクタ１２Ａや給電コネクタ１２Ｂがオスコネクタである場合、通電状態のプラグ電極がむき出しとなるおそれがある。そして、通電状態のプラグ電極に触れると、感電、短絡などの事故が発生してしまう。したがって、安全面を考慮すれば、通電した状態のプラグ電極をむき出しすることは好ましくない。以下、通電した状態のプラグ電極がむき出しとならないようなオスコネクタについて説明する。なお、以下に述べるオスコネクタは、前述した拡張蓄電池用ケーブル１２に限られず、一般に用いられる電源ケーブル、信号ケーブルなどに適用可能である。
【００５０】
図６に示すように、蓄電池収納具４０は、複数の蓄電池２Ｘを収容するとともに、収容した複数の蓄電池２Ｘ同士を並列に接続するためのものであり、蓄電池収納ケース４１と、蓄電池収納ケース４１に設けられた入力端子４２と、蓄電池収納ケース４１に設けられた出力端子４３と、蓄電池収納ケース４１に設けられた仕切板４４と、を備える。
【００５１】
蓄電池収納ケース４１は、内部に収容空間を有し、蓄電池２Ｘの収納口となる開口４１Ｋは、１つのケース面に形成される。また、仕切板４４は、蓄電池収納ケース４１の収容空間を、蓄電池２Ｘ（１個分）の収容スペースごとに仕切る。入力端子４２及び出力端子４３は、それぞれ、蓄電池収納ケース４１に収容された蓄電池２Ｘの各端子と接続可能な位置に設けられる。入力端子４２には、蓄電池収納ケース４１に収容された蓄電池２Ｘへ電力を供給するための装置（発電機やメイン蓄電池等）が接続される。一方、出力端子４３には、蓄電池収納ケース４１に収容された蓄電池２Ｘからの電力を受け取る装置（インバータや電気機器等）が接続される。
【００５２】
図７に示すように、板状の蓄電池２Ｘは、蓄電池本体５１と、蓄電池コネクタ５２とを備える。蓄電池２Ｘの一方の側面においては突条５３が形成され、この突条５３は、蓄電池２Ｘの前端から後端まで、すなわち、蓄電池コネクタ５２から蓄電池本体５１まで前後方向へ延びる。また、蓄電池２Ｘの他方の側面においては、突条５３に対して平行な溝５４が形成され、この溝５４は、蓄電池２Ｘの前端から後端まで、すなわち、蓄電池コネクタ５２から蓄電池本体５１まで延びる。ここで、突条５３の形状は、溝５４に対し嵌合可能なものとなっている。
【００５３】
図８〜９に示すように、蓄電池コネクタ５２は、蓄電池コネクタ本体５２Ａと、蓄電池コネクタ本体５２Ａの一方の側面５２ＡＰに形成されたプラグ５２Ｐと、蓄電池コネクタ本体５２Ａの他方の側面５２ＡＣに形成されたコンセント５２Ｃと、蓄電池コネクタ本体５２Ａの前面５２ＡＦに形成されたスイッチ孔５２ＸＰ、５２ＸＮと、スイッチ孔５２ＸＰ、５２ＸＮに挿入可能なスイッチ棒５２ＳＰ、５２ＳＮと、蓄電池コネクタ本体５２Ａの背面５２ＡＢに形成された蓄電池本体側コネクタ５２Ｂと、を有する。
【００５４】
図８に示すように、プラグ５２Ｐは、オス端子５２ＰＰ、５２ＰＮを有する。オス端子５２ＰＰ、５２ＰＮは、それぞれ、一端が突条５３にて露出し、他端がスイッチ孔５２ＸＰ、５２ＸＮの壁面に露出する。コンセント５２Ｃは、メス端子５２ＣＰ、５２ＣＮを有する。メス端子５２ＣＰ、５２ＣＮは、それぞれ、一端が溝５４の底面にて露出し、他端がスイッチ孔５２ＸＰ、５２ＸＮの壁面に露出する。
【００５５】
図９に示すように、蓄電池本体側コネクタ５２Ｂは、蓄電池端子５２ＢＰ、５２ＢＮを有する。蓄電池端子５２ＢＰ、５２ＢＮは、それぞれ、一端がスイッチ孔５２ＸＰ、５２ＸＮに露出し、他端が蓄電池コネクタ本体５２Ａの背面５２ＡＢに露出する。
【００５６】
スイッチ棒５２ＳＰ、５２ＳＮは、導電性を有する材料から形成される。また、スイッチ棒５２ＳＰ、５２ＳＮのうち、一端側には、絶縁カバー５２ＳＣが設けられる。なお、スイッチ棒５２ＳＰ、５２ＳＮと、蓄電池コネクタ本体５２Ａとを連結する連結具５２Ｌ（図７参照）を有していることが好ましい。
【００５７】
スイッチ棒５２ＳＰ、５２ＳＮの他端側を、それぞれスイッチ孔５２ＸＰ、５２ＸＮに挿入する。そして、スイッチ棒５２ＳＰ、５２ＳＮが、正極側及び負極側のそれぞれにおいて、オス端子５２ＰＰ、５２ＰＮ、メス端子５２ＣＰ、５２ＣＮ、及び蓄電池端子５２ＢＰ、５２ＢＮが互いに電気的に接続する並列接続位置（図８（Ｂ）、９（Ｂ）参照）に位置すると、正極側及び負極側のそれぞれにおいて、プラグ５２Ｐと、コンセント５２Ｃと、蓄電池本体側コネクタ５２Ｂとが、互いに電気的に接続する。また、スイッチ棒５２ＳＰ、５２ＳＮが、オス端子５２ＰＰ、５２ＰＮ、メス端子５２ＣＰ、５２ＣＮ、及び蓄電池端子５２ＢＰ、５２ＢＮが互いに電気的に離れた離隔位置に位置すると（図８（Ａ）、９（Ａ）参照）、正極側及び負極側のそれぞれにおいて、プラグ５２Ｐと、コンセント５２Ｃと、蓄電池本体側コネクタ５２Ｂとは、全て電気的に離れる。さらに、スイッチ棒５２ＳＰ、５２ＳＮが、正極側及び負極側のそれぞれにおいて、オス端子５２ＰＰ、５２ＰＮ及びメス端子５２ＣＰ、５２ＣＮが互いに電気的に接続するとともに、オス端子５２ＰＰ、５２ＰＮ及びメス端子５２ＣＰ、５２ＣＮから蓄電池端子５２ＢＰ、５２ＢＮが電気的に離れたスルー接続位置（図９（Ｃ）参照）に位置すると、正極側及び負極側のそれぞれにおいて、プラグ５２Ｐとコンセント５２Ｃとが互いに電気的に接続する。
【００５８】
次に、蓄電池コネクタ５２の作用の使用方法を説明する。
【００５９】
蓄電池収納ケース４１にて複数の蓄電池２Ｘを収容する際（図６参照）、隣り合う蓄電池２Ｘの突条５３と溝５４とが嵌合するように収容することで、蓄電池収納ケース４１へ蓄電池２Ｘを追加する収納作業を行うことができる。また、スイッチ棒５２ＳＰ、５２ＳＮが並列接続位置（図８（Ｂ）、９（Ｂ）参照）となった場合には、当該スイッチ棒５２ＳＰ、５２Ｓを備える蓄電池本体５１は、互いに並列的に接続される。一方、スイッチ棒５２ＳＰ、５２ＳＮのうちいずれか１つが離隔位置（図８（Ａ）、９（Ａ）参照）となれば、蓄電池収納ケース４１に収納された複数の蓄電池２Ｘ間の通電が断たれる。さらに、スイッチ棒５２ＳＰ、５２ＳＮがスルー接続位置（図９（Ｃ）参照）となれば、蓄電池２Ｘにおいて、当該蓄電池２Ｘと隣り合う蓄電池２Ｘ同士を電気的に接続したまま、蓄電池本体５１と蓄電池コネクタ５２とを電気的にオープンにすることができる。これにより、蓄電池収納ケース４１に収納された蓄電池２Ｘにおいて、全ての蓄電池コネクタ５２の接続を維持しつつも、個別の蓄電池本体５１を切り離すことができるため、蓄電池本体５１の交換作業が容易となる。すなわち、他の蓄電池本体５１の接続を維持しつつも、交換対象となる蓄電池本体５１の交換作業が可能となる。
【００６０】
さらに、スイッチ棒５２ＳＰ、５２ＳＮのうち、一端側には、絶縁カバー５２ＳＣが設けられるため、スイッチ棒５２ＳＰ、５２ＳＮが通電状態（並列接続位置やスルー接続位置に位置する状態）となった場合でも、通電された部分が外部に露出しないため、安全である。
【００６１】
なお、スルー接続位置におけるスイッチ棒５２ＳＰ、５２ＳＮと係合するスルー接続位置係合部材を、設けてもよい。
【００６２】
なお、スイッチ棒５２ＳＰ、５２ＳＮを省略してもよい。この場合には、蓄電池収納ケース４１へ蓄電池２Ｘを追加する収納作業を行えば、蓄電池収納ケース４１に収納された複数の蓄電池２Ｘ間の配線が行われるため、別途の配線作業を行わずに済む。同様に、蓄電池収納ケース４１から蓄電池２Ｘを個別に取り出せば、蓄電池収納ケース４１に収納された複数の蓄電池２Ｘ間の通電が断たれる結果、取り出し作業と別途の配線作業を行わずに済む。
【００６３】
上記実施形態では、蓄電池収納ケース４１が１つのケース面に開口４１Ｋ（図６参照）を有したが、蓄電池収納ケース４１が２つのケース面に開口４１Ｋ、４１Ｌを有していてもよい（図１０Ａ参照）。この場合、１つの開口４１Ｋは蓄電池２Ｘの収納口となり、もう１つの開口４１Ｌは、スイッチ棒５２ＳＰ、５２ＳＮを挿入するための挿入口となる。
【００６４】
図１０Ｂに示すように、蓄電池収納具４０に収容される蓄電池２Ｘは、蓄電池本体５１と、蓄電池コネクタ６２とを備える。図７に示す蓄電池２Ｘと同様に、図１０Ｂに示す蓄電池２Ｘの一方の側面においては突条５３が形成され、他方の側面においては、突条５３に対して平行な溝５４が形成される。
【００６５】
図１１Ａに示すように、蓄電池コネクタ６２は、蓄電池コネクタ本体６２Ａと、コネクタ本体６２Ａの一方の側面６２ＡＰ側に形成されたプラグ６２Ｐと、コネクタ本体６２Ａの他方の側面６２ＡＣ側に形成されたコンセント６２Ｃと、コネクタ本体６２Ａの下面６２ＡＬに形成された蓄電池本体側コネクタ６２Ｂと、を有する。
【００６６】
以下、プラグ６２Ｐと、コンセント６２Ｃと、蓄電池本体側コネクタ６２Ｂとの詳細を説明するが、いずれも正極側・負極側の構造は共通するため、ここでは正極側の構造のみ説明し、負極側の説明は省略する。
【００６７】
プラグ６２Ｐは、上面６２ＡＵから溝５４の上方溝面５４Ａまでを貫通する溝横断孔６２ＰＸと、溝５４の他方の下方溝面５４Ｂから凹んだ凹み部６２ＰＹと、凹み部６２ＰＹに設けられたオス端子６２ＰＴと、プラグ棒６２ＰＳと、を有する。凹み部６２ＰＹは、溝横断孔６２ＰＸに対し、同一直線状となるように延びる。また、溝横断孔６２ＰＸ及び凹み部６２ＰＹは、プラグ棒６２ＰＳが挿入可能な寸法を有する。オス端子６２ＰＴは、凹み部６２ＰＹのうち下方溝面５４Ｂよりも凹んだ位置に設けられることが好ましい。
【００６８】
プラグ棒６２ＰＳは導電性の材料からなる。また、プラグ棒６２ＰＳのうち、一端側には、絶縁カバー６２ＳＣが設けられる。
【００６９】
コンセント６２Ｃは、突条５３を上下方向に貫通する突条貫通孔６２ＣＸと、突条貫通孔６２ＣＸの壁面に設けられたメス端子６２ＣＴと、を有する。突条貫通孔６２ＣＸは、プラグ棒６２ＰＳが挿入可能な寸法を有する。さらに、突条貫通孔６２ＣＸは、溝横断孔６２ＰＸに対し平行に延びる。
【００７０】
蓄電池本体側コネクタ６２Ｂは、端子６２ＢＴを有する。端子６２ＢＴは、一端が下面６２ＡＬに露出し、他端は、凹み部６２ＰＹのうちオス端子６２ＰＴよりも奥の部分（例えば、底部）にて露出する。
【００７１】
複数の蓄電池コネクタ５２同士を嵌合する、すなわち、突条５３を溝５４へ嵌合させることにより（図１１Ｂ参照）、溝横断孔６２ＰＸ、突条貫通孔６２ＣＸ、凹み部６２ＰＹがこの順で並び、プラグ棒６２ＰＳが挿入可能なプラグ棒挿入空間を形成する。プラグ棒挿入空間内には、上面６２ＡＵからみて、メス端子６２ＣＴ、オス端子６２ＰＴ、端子６２ＢＴがこの順で並ぶ。
【００７２】
これにより、プラグ棒６２ＰＳは、オス端子６２ＰＴ及びメス端子５２ＣＴが互いに電気的に接続するとともに、オス端子６２ＰＴ及びメス端子５２ＣＴから端子６２ＢＴが電気的に離れたスルー接続位置と、オス端子６２ＰＴ、メス端子６２ＣＴ及び端子６２ＢＴが互いに電気的に接続する並列接続位置と、オス端子６２ＰＴ、メス端子６２ＣＴ及び端子６２ＢＴが互いに電気的に離れた離隔位置と、の間で移動自在となる。
【００７３】
そして、このプラグ棒挿入空間にプラグ棒６２ＰＳを挿入することにより、スルー接続位置と、並列接続位置と、離隔位置と、の間で移動自在となるため、蓄電池２Ｘ間の配線を容易に変更することができる。
【００７４】
また、プラグ棒６２ＰＳのうち、一端側には、絶縁カバー６２ＳＣが設けられるため、プラグ棒６２ＰＳが通電状態となった場合でも、通電された部分が外部に露出しないため、安全である。
【００７５】
本発明の電気接続部品は、上述の蓄電池コネクタ５２、６３に限られず、図１２〜１５に示すプラグ７０やコンセント８０も含まれる。
【００７６】
プラグ７０は、コンセント８０と嵌合可能なものであり、コンセント８０の接触子８１に直接接続するプラグ電極７１と、プラグ電極７１を保持する電極保持板７２と、プラグ電極７１をプラグ側コード７３と接触可能なスイッチ７４と、スイッチ７４を保持するとともに、電極保持板７２に対して相対的に回動自在なスイッチ保持板７５と、各部を収容するプラグケース７７とを備える。
【００７７】
コンセント８０は、プラグ電極７１と電気的に接続する接触子８１と、接触子８１を保持する接触子保持板８２と、接触子保持板８２からプラグ７０に向かって突出するロック棒８４とを備える。ロック棒８４は、基部８４Ａと、基部よりも大径の先端部８４Ｂとを有する。
【００７８】
次に、プラグ７０の詳細について説明する。図１２〜１３に示すように、プラグ電極７１は、正極用、負極用のそれぞれがあり、いずれも棒状に形成される。そして、プラグ電極７１の一部７１Ａは、コンセント８０の接触子８１に直接接続するものであり、他部７１Ｂは、スイッチ７４に直接接続するものである。なお、正極用のプラグ電極７１と、負極用のプラグ電極７１とは、誤挿入防止のために、異なった形状であることが好ましい。図示するプラグ電極７１では、正極用及び負極用のうち一方が大径であり、他方が小径の円柱状となっている。
【００７９】
図１２（Ｂ）に示すように、電極保持板７２は、プラグ電極７１の中途部分（一部７１Ａと他部７１Ｂとの間）を保持するものであり、プラグケース７７に対して嵌め込まれている。
【００８０】
図１２（Ｂ）、１４に示すように、スイッチ７４は、プラグ電極７１の他部７１Ｂを収容可能な収容凹部７４Ａを有する。
【００８１】
スイッチ保持板７５は、電極保持板７２を基準としてコンセント８０から遠ざかる位置に配される。さらに、スイッチ保持板７５は、電極保持板７２側の面に回動凹み部７５Ａを有する。回動凹み部７５Ａには電極保持板７２に設けられたブッシュ７２Ａが挿入されるため、スイッチ保持板７５、すなわちスイッチ７４は、ブッシュ７２Ａを中心として回動自在となる。プラグ側コード７３は、回動可能なスイッチ７４の状態に関わらず、常にスイッチ７４と電気的に接続する。これにより、スイッチ７４は、プラグ電極７１と収容凹み部７１Ａとが電気的に接続するクローズ状態（図１５（Ｃ）参照）と、プラグ電極７１と収容凹み部７１Ａとが電気的に離れたオープン状態（（図１５（Ａ）参照））と、の間で遷移自在となる。
【００８２】
さらに、図１３〜１４に示すように、プラグ７０は、スイッチ７４の遷移を規制するスイッチ遷移規制機構７８を備える。スイッチ遷移規制機構７８は、電極保持板７２に設けられた貫通孔７８Ａ及びガイドスリット７８Ｂと、ガイドスリット７８Ｂに設けられロック棒８４の先端部８４Ｂの通過を規制する先端部規制具７８Ｃと、スイッチ保持板７５に設けられた先端係合穴７８Ｄと、によって構成される。
【００８３】
図１２に示すように、貫通孔７８Ａは、ロック棒８４が、基部８４Ａ側から先端部８４Ｂ側まで通過可能な寸法となっている。
【００８４】
図１３（Ｂ）に示すように、ガイドスリット７８Ｂは、貫通孔７８Ａからスイッチ保持板７５の回動方向へ延びる。ガイドスリット７８Ｂのスリット幅は、貫通孔７８Ａと直径にほぼ等しい。回動方向におけるガイドスリット７８Ｂが延びる長さは、クローズ状態（図１５（Ｃ）参照）とオープン状態（図１５（Ａ）参照）との間で、スイッチ７４が遷移可能となる程度であればよい。
【００８５】
図１３（Ｂ）に戻って、先端部規制具７８Ｃは、ガイドスリット７８Ｂに設けられる。
このため、ガイドスリット７８Ｂにおいて、ロック棒８４の基部８４Ａは、スイッチ保持板７５の回動方向及び自身の挿抜方向へ移動可能であるものの、ロック棒８４の先端部８４Ｂは通過することができない。
【００８６】
先端係合穴７８Ｄは、ロック棒８４の先端部８４Ｂと係合する（図１２（Ａ）参照）。貫通孔７８Ａと先端係合穴７８Ｄとは、ロック棒８４を収容するためのロック棒収容空間を形成する。ロック棒収容空間の長さは、ロック棒８４全体が収容される程度のものである。なお、先端係合穴７８Ｄは、ロック棒８４全体が収容された場合に、ロック棒８４の先端部８４Ｂと係合可能な形状であれば、特に問わない。なお、先端係合穴７８Ｄの代わりに、ロック棒８４の先端部８４Ｂと係合可能な突起を設けてもよい。
【００８７】
さらに、スイッチ７４がオープン状態（図１５（Ａ）参照）である場合、先端係合穴７８Ｄは貫通孔７８Ａと重なる、すなわち、先端係合穴７８Ｄは貫通孔７８Ａから露出する（図１５（Ｂ）参照）。したがって、ロック棒８４は、貫通孔７８Ａを挿抜自在であり、貫通孔７８Ａに挿入されたロック棒８４の先端部８４Ｂは、先端係合穴７８Ｄと係合する（図１２（Ａ）参照）。
【００８８】
一方、スイッチ７４がクローズ状態（図１５（Ｃ）参照）である場合、先端係合穴７８Ｄは貫通孔７８Ａから露出せずに先端部規制具７８Ｃと重なる（図１５（Ｄ）参照）。したがって、基部８４Ａが貫通孔７８Ａを貫通した状態のロック棒８４を抜こうとしても、先端部８４Ｂが先端部規制具７８Ｃと係合するため、ロック棒８４を貫通孔７８Ａから抜くことができない。また、ロック棒８４を先端部８４Ｂから貫通孔７８Ａへ挿入しようとしても、先端部８４Ｂが先端部規制具７８Ｃと係合するため、ロック棒８４を貫通孔７８Ａへ挿入することができない。
【００８９】
次に、プラグ７０及びコンセント８０の使用方法について説明する。
【００９０】
プラグ７０において、スイッチ７４がオープン状態（図１５（Ａ）参照）である場合、先端係合穴７８Ｄからは貫通孔７８Ａから露出する（図１５（Ｂ）参照）。したがって、プラグ７０にはロック棒収容空間が形成される。このため、ロック棒８４は、ロック棒収容空間へ挿入可能となる、すなわち、プラグ７０をコンセント８０へ嵌合することが可能になる。一方、プラグ７０において、スイッチ７４がクローズ状態（図１５（Ｃ）参照）である場合には、貫通孔７８Ａと先端部規制具７８Ｃと重なる（図１５（Ｄ）参照）ため、プラグ７０にはロック棒収容空間が形成されない、すなわち、コンセント８０をプラグ７０へ嵌合することができない。
【００９１】
次に、スイッチ７４をオープン状態（図１５（Ａ）参照）にした上で、コンセント８０をプラグ７０へ嵌合すると、ロック棒８４は、先端部８４Ｂが先端係合穴７８Ｄと係合し、ロック棒８４の基部８４Ａは、貫通孔７８Ａを通過した状態となる（図１２参照）。さらに、基部８４Ａが通過可能なガイドスリット７８Ｂが貫通孔７８Ａから延びているため、コンセント８０に対して、プラグケース７７を回動方向へ回動させることができる。そして、コンセント８０に対して、プラグケース７７を回動方向へ回動させると、ロック棒８４の先端部８４Ｂと係合したスイッチ保持板７５が回動する結果、先端係合穴７８Ｄがガイドスリット７８Ｂと重なり、スイッチ７４はオープン状態（図１３（Ａ）参照）からクローズ状態（図１３（Ｂ）参照）へ遷移する。
【００９２】
さらに、スイッチ７４がクローズ状態（図１３（Ｂ）参照）である場合において、ロック棒８４を貫通孔７８Ａから引き抜こうとしても、ロック棒８４の先端部８４Ｂが先端部規制具７８Ｃによって係止され、結果として、コンセント８０をプラグ７０から外すことができない。言い換えれば、スイッチ７４がオープン状態（図１３（Ａ）参照）のまま、コンセント８０をプラグ７０から外すことができない。したがって、プラグ７０とコンセント８０によれば、通電された部材がプラグ７０の外部へ露出しないため、安全性に優れる。
【００９３】
スイッチ７４がクローズ状態（図１３（Ｂ）参照）の場合では、プラグ電極７１が通電されているものの、プラグ７０がコンセント８０に嵌合された状態、すなわち、プラグ電極７１がコンセント８０によって覆われた状態となっている。したがって、プラグ７０は、スイッチ７４の位置に関わらず、通電された部材が外部へ露出しないため、安全性に優れる。
【００９４】
また、スイッチ７４を、オープン状態（図１５（Ａ）参照）とクローズ状態（図１５（Ｃ）参照）との間で遷移させるためには、
（１）プラグ７０をコンセント８０に挿入する。
（２）コンセント８０に挿入した状態ままプラグ７０で回動させる。
の２操作で済む。しかも、この２操作は、プラグ７０を持った状態で行うことができるため、取り扱いがきわめて安全であるとともに、スイッチ７４のＯＮ−ＯＦＦ操作がきわめて容易である。
【００９５】
なお、上記実施形態では、スイッチ保持板７５を、電極保持板７２に対して相対的に回動自在としたが、本発明はこれに限れず、スイッチ保持板７５を、電極保持板７２に対して相対的に直線方向へ移動自在としてもよい。
【００９６】
なお、図１３Ａ、１４Ｂに示すように、スイッチ保持板７５の向きを規制する向き規制機構７９を設けてもよい。向き規制機構７９は、電極保持板７２のブッシュ７２Ａに設けられる凸部７９Ａと、スイッチ保持板７５の回動凹み部７５Ａに設けられる凹部７９Ｂと、を有する。また、凸部７９Ａは、ブッシュ７２Ａの周面から突出する位置と、ブッシュ７２Ａの周面に対して面一となる位置との間で移動自在であり、ブッシュ７２Ａに内蔵されたバネによって、ブッシュ７２Ａの周面から突出する位置へ付勢されている。このため、凹み部７９Ｂと正対する位置の凸部７９Ａは、当該凹み部７９Ｂと係止し、凹み部７９Ｂと正対する位置からずれた凸部７９Ａは、回動凹み部７５Ａの内壁面によって押し戻される結果、ブッシュ７２Ａの周面に対して面一となる。このような凸部７９Ａ及び凹部７９Ｂは、スイッチ７４がオープン状態（図１５（Ａ）参照）となる向き、スイッチ７４がクローズ状態（図１５（Ｃ）参照）となる向きのそれぞれにおいて、互いに係止するように設けられる。なお、スイッチ保持板７５に凸部７９Ａを、電極保持板７２に凹部７９Ｂをそれぞれ設けてもよい。
【００９７】
なお、正極側のプラグ電極とコンタクトとが電気的に接触するタイミングを、負極側のプラグ電極とコンタクトとが電気的に接触するタイミングよりも先に行うことが好ましい。
【００９８】
本発明の電気接続部品は、上述のものに限られず、図１６〜１９に示すプラグ７０やコンセント８０も含まれる。
【００９９】
図１６に示すプラグ９０は、プラグ電極９１と、プラグ電極９１の中途部分を保持するプラグケース９２と、プラグ側コード９３とプラグ電極９１とを接触可能なスイッチ９４と、スイッチ９４の持ち手９５と、を有する。
【０１００】
スイッチ９４の持ち手９５は、一端側がスイッチ９４に取り付けられ、他端側が、プラグケース９２に設けられた孔を貫通して、プラグケース９２の外部へ延びる。持ち手９５の操作により、スイッチ９４は、プラグ側コード９３とプラグ電極９１とが電気的に接続するクローズ位置と、プラグ側コード９３とプラグ電極９１とが電気的に離れたオープン位置と、の間で移動自在となる。
【０１０１】
このプラグ９０によれば、プラグ電極９１がプラグケース９２から露出しているものの、スイッチ９４がオープン位置にある限り、通電状態のプラグ電極９１がプラグケース９２から露出しない。したがって、このようなプラグ９０は安全性に優れる。
【０１０２】
なお、プラグ９０は、スイッチ９４をオープン位置に付勢するスイッチ付勢部材を備えていてもよい。また、上記実施形態では、片方の電極側のみを開閉させたが、負極側において開閉させることが好ましい。これにより、正極・負極のうち負極側のみが電気的に接触する状態を回避することができる。
【０１０３】
なお、本発明はこれに限られず、両方の電極を開閉させてもよい（図１７参照）。加えて、正極側のプラグ電極とコンタクトとが電気的に接触するタイミングを、負極側のプラグ電極とコンタクトとが電気的に接触するタイミングよりも先に行うことが好ましい。
【０１０４】
また、図１８に示すプラグ１００は、コンセント１１０と嵌合可能なものであり、コンセント１１０の接触子１１１に直接接続するプラグ電極１０１と、プラグ電極１０１をプラグ側コード１０２と接触可能なスイッチ１０４と、スイッチ１０４を所定方向へ付勢する付勢部材１０５と、スイッチ１０４に係合する嵌合スイッチ１０６と、各部を収容するプラグケース１０７とを備える。
【０１０５】
スイッチ１０４は、導電性を有する材料からなり、プラグ電極１０１に対して電気的に接続した状態のまま、プラグ側コード１０２と電気的に接続するクローズ位置（図１８（Ｂ）参照）とプラグ側コード１０２とが電気的に離れたオープン位置（図１８（Ａ）参照）との間で遷移自在となる。
【０１０６】
付勢部材１０５は、いわゆるバネであり、スイッチ１０４をオープン位置（図１８（Ａ）参照）へ付勢する。
【０１０７】
嵌合スイッチ１０６は、２本のプラグ電極１０１の間に設けられる。さらに、プラグ１００と嵌合したコンセント１１０が占める空間を嵌合コンセント空間１１０Ｋと定義した場合、嵌合スイッチ１０６は、プラグケース１０７から嵌合コンセント空間１１０Ｋまで突出した突出位置（図１８（Ａ）参照）、突出位置から退避した退避位置（図１８（Ｂ）参照）の間で移動自在である。なお、嵌合スイッチ１０６が設けられる位置は、２本のプラグ電極１０１の間に限られず、プラグ１００と嵌合したコンセント１１０と係合するとともに、このコンセント１１０と係合によって、突出位置（図１８（Ａ）参照）から退避位置（図１８（Ｂ）参照）の間で移動できるものであればよい。
【０１０８】
また、係合スイッチ１０６は、自身が突出位置にあるときに、プラグケース１０７と係止する係止具１０６Ａを有する。
【０１０９】
さらに、嵌合スイッチ１０６はスイッチ１０４と係合するスイッチ係合部１０６Ｂを有するため、嵌合スイッチ１０６が突出位置に位置する場合には、スイッチ１０４はオープン位置となる（図１８（Ａ）参照）。一方、嵌合スイッチ１０６が退避位置に位置する場合には、スイッチ１０４はクローズ位置となる（図１８（Ａ）参照）。
【０１１０】
つぎに、プラグ１００の使用方法について説明する。
【０１１１】
コンセント１１０からプラグ１００が外れた場合（図１８（Ａ）参照）には、付勢部材１０５により、スイッチ１０４はオープン位置となるように付勢されるため、プラグ電極１０１は通電されない。一方、コンセント１１０にプラグ１００を嵌合した場合（図１８（Ｂ）参照）には、コンセント１１０によって、嵌合スイッチ１０６がプラグケース１０７内へ押し込まれるため、嵌合スイッチ１０６は退避位置へ移動する。この結果、嵌合スイッチ１０６の退避位置への移動により、スイッチ１０４はクローズ位置へ移動する。ここで、スイッチ１０４がクローズ位置にある場合、プラグ電極１０１は通電状態となるが、この通電状態のプラグ電極１０１は、コンセント１１０に覆われており、外部へ露出することはない。さらに、その後、コンセント１１０からプラグ１００を外した場合には、付勢部材１０５によって、スイッチ１０４がオープン位置（図１８（Ａ）参照）となるため、通電状態のプラグ電極１０１が外部へ露出することはない。このようなプラグ１００は、スイッチ１０４の位置に関わらず、通電された部材が外部へ露出しないため、安全性に優れる。
【０１１２】
図１９に示すプラグ１２０は、コンセント１３０と嵌合可能なものであり、コンセント１３０の接触子１３１に直接接続するプラグ電極１２１と、プラグ電極１２１をプラグ側コード１２２と接触可能なスイッチ１２４と、スイッチ１２４に係合する嵌合スイッチ１２６と、嵌合スイッチ１２６を所定方向へ付勢する付勢部材１２５と、スイッチ１２４を係止可能なロック機構１２７と、各部を収容するプラグケース１２９と、を備える。
【０１１３】
スイッチ１２４は、プラグ電極１２１とプラグ側コード１２２とが電気的に接続するクローズ位置（図１９（Ｃ）参照）と、プラグ電極１２１とプラグ側コード１２２とが電気的に離れたオープン位置（図１９（Ａ）参照）と、の間で遷移自在となる。
【０１１４】
嵌合スイッチ１２６は、２本のプラグ電極１０１の間に設けられる。さらに、プラグ１２０と嵌合したコンセント１３０が占める空間を嵌合コンセント空間１３０Ｋと定義した場合、嵌合スイッチ１２６は、プラグケース１２９から嵌合コンセント空間１３０Ｋまで突出した突出位置（図１９（Ａ）参照）、突出位置から退避した退避位置（図１９（Ｂ）参照）の間で移動自在である。
【０１１５】
付勢部材１２５は、いわゆるバネであり、嵌合スイッチ１２６を突出位置へ付勢する。また、嵌合スイッチ１２６は、自身が突出位置にあるときに、プラグケース１２９と係止する係止具１２６Ａを有する。
【０１１６】
図２０に示すように、ロック機構１２７は、ロックバー１２７Ａと、ロックバー１２７Ａを回動させる回動軸１２７Ｂと、ロックバー１２７Ａを付勢するロックバー付勢部材１２７Ｃと、を有する。
【０１１７】
ロックバー１２７Ａは、一端側に設けられ、嵌合スイッチ１２６の係合部１２６Ｂと係合する嵌合スイッチ係合部１２７ＡＡと、他端側に設けられ、オープン位置のスイッチ１２４と係止するスイッチ係止部１２７ＡＢと、を有する。そして、嵌合スイッチ１２６の係合部１２６Ｂと嵌合スイッチ係合部１２７ＡＡとの係合により、ロックバー１２７Ａは、回動軸１２７Ｂを中心にして、スイッチ係止部１２７ＡＢがオープン位置のスイッチ１２４と係止するオープンロック状態（図１９（Ａ）参照）と、オープンロック状態から退避したオープンロック解除状態（図１９（Ｂ）・（Ｃ）参照）との間で回動自在となる。
【０１１８】
ロックバー付勢部材１２７Ｃは、オープンロック状態（図１９（Ａ）参照）となるようにロックバー１２７Ａを付勢するものである。ロックバー付勢部材１２７Ｃとしては、例えば、コイルばねがあり、一端がロックバー１２７Ａに、他端が回動軸１２７Ｂにそれぞれ係止される。
【０１１９】
つぎに、プラグ１２０の使用方法について説明する。
【０１２０】
コンセント１３０にプラグ１２０を嵌合しない場合（図１９（Ａ）参照）には、付勢部材１２５により、嵌合スイッチ１２６は突出位置に位置する。この結果、ロックバー１２７Ａは、嵌合スイッチ１２６の係合部１２６Ｂとの係合により、回動軸１２７Ｂを中心に回動して、オープンロック状態となる。そして、ロックバー１２７Ａがオープンロック状態の場合には、スイッチ係止部１２７ＡＢによって、オープン位置のスイッチ１２４が係止される結果、スイッチ１２４は、クローズ位置へ移動することができない。したがって、コンセント１３０からプラグ１２０が外れた場合には、プラグ電極１２１は通電状態とならない。
【０１２１】
一方、コンセント１３０にプラグ１２０を嵌合した場合（図１９（Ｂ）参照）には、コンセント１３０によって嵌合スイッチ１２６は退避位置に位置する。この結果、嵌合スイッチ１２６の係合部１２６Ｂとの係合により、ロックバー１２７Ａは、回動軸１２７Ｂを中心に回動して、オープンロック解除状態となる。そして、ロックバー１２７Ａがオープンロック解除状態の場合には、スイッチ係止部１２７ＡＢがスイッチ１２４と係止しない結果、スイッチ１２４は、クローズ位置へ移動することができる（図１９（Ｃ）参照）。スイッチ１２４がクローズ位置に位置する場合には、プラグ電極１２１が通電状態となるものの、このプラグ電極１２１はコンセント１３０によって、覆われる結果、通電状態のプラグ電極１２１は、プラグ１２０の外部に露出することはない。
【０１２２】
このようなプラグ１２０は、スイッチ１２４の位置に関わらず、通電された部材が外部へ露出しないため、安全性に優れる。
【０１２３】
なお、図２１（Ａ）に示すように、拡張蓄電池用ケーブル１２は、電力を受けるための受電コネクタ１２Ａと、受電コネクタ１２Ａからの電力を供給先へ供給するための給電コネクタ１２Ｂと、コネクタケース１２Ｃと、拡張蓄電池２Ｘ等に接続するための拡張蓄電池側接続部１２Ｘと、基端側がコネクタケース１２Ｃに接続するとともに、先端側が拡張蓄電池側接続部１２Ｘに接続するコネクタコード１２Ｋと、を備える。また、受電コネクタ１２Ａは、別途の電源ケーブル２１のコネクタ２１Ｂと嵌合可能であり、給電コネクタ１２Ｂは、別途の電源ケーブル２２のコネクタ２２Ａと嵌合可能である。そして、コネクタ２１Ｂは、コネクタ２２Ａと嵌合可能である。つまり、受電コネクタ１２Ａの電極部分は、給電コネクタ１２Ｂの電極部分に対して嵌合可能である。
【０１２４】
したがって、受電コネクタ１２Ａをコネクタ２１Ｂへ嵌合するとともに、給電コネクタ１２Ｂをコネクタ２２Ａへ嵌合することにより、拡張蓄電池用ケーブル１２は、電源ケーブル２１、電源ケーブル２２、及び拡張蓄電池２Ｘを電気的に接続することができる（図２１（Ｂ）参照）。また、コネクタ２１Ｂをコネクタ２２Ａに嵌合することにより、電源ケーブル２１及び電源ケーブル２２を電気的に接続するとともに、電源ケーブル２１及び電源ケーブル２２を拡張蓄電池２Ｘから電気的に離すことができる（図２１（Ｃ）参照）。このように、拡張蓄電池用ケーブル１２は、電源ケーブル２１、電源ケーブル２２及び拡張蓄電池２Ｘの三者間において送電が可能な状態（図２１（Ｂ）参照）と、電源ケーブル２１及び電源ケーブル２２の二者間において送電が可能な状態（図２１（Ｃ）参照）と、の切り替えが可能となる。
【０１２５】
以上、本発明の実施の形態について説明したが、本発明の液中ポンプは、上記した実施の形態に限定されるものではなく、本発明の要旨を逸脱しない範囲内において種々変更を加え得ることは勿論である。
【図１】
2014097889.tif 000003
【図２】
2014097889.tif 000004
【図３】
2014097889.tif 000005
【図４】
2014097889.tif 000006
【図５】
2014097889.tif 000007
【図６】
2014097889.tif 000008
【図７】
2014097889.tif 000009
【図８】
2014097889.tif 000010
【図９】
2014097889.tif 000011
【図１０】
2014097889.tif 000012
【図１１】
2014097889.tif 000013
【図１２】
2014097889.tif 000014
【図１３】
2014097889.tif 000015
【図１４】
2014097889.tif 000016
【図１５】
2014097889.tif 000017
【図１６】
2014097889.tif 000018
【図１７】
2014097889.tif 000019
【図１８】
2014097889.tif 000020
【図１９】
2014097889.tif 000021
【図２０】
2014097889.tif 000022
【図２１】
2014097889.tif 000023
【手続補正書】
【提出日】平成26年3月19日(2014.3.19)
【手続補正１】
【補正対象書類名】特許請求の範囲
【補正対象項目名】全文
【補正方法】変更
【補正の内容】
【特許請求の範囲】
【請求項１】
電力出力装置からの電力を受ける受電コネクタと、
前記電力を供給先へ供給する給電コネクタと、
前記受電コネクタ及び前記給電コネクタを電気的に接続する接続回路と、
前記接続回路及び一の蓄電池を電気的に接続する蓄電池接続部と、を備え、
前記一の蓄電池からの電力は前記受電コネクタから出力可能なことを特徴とする電気接続部品。
【請求項２】
前記一の蓄電池からの電力は前記給電コネクタ及び前記受電コネクタを介しての双方から出力可能なことを特徴とする請求項１記載の電気接続部品。
【請求項３】
前記一の蓄電池を充電する場合、前記電力出力装置からの電力は前記受電コネクタを介して前記一の蓄電池へ供給されたことを特徴とする請求項１記載の電気接続部品。
【請求項４】
前記受電コネクタと前記給電コネクタとが一体に形成されたことを特徴とする請求項１記載の電気接続部品。
【請求項５】
前記一の蓄電池を充電する場合、前記給電コネクタには前記電力出力装置からの電力を蓄電可能な他の蓄電池が接続されることを特徴とする請求項１記載の電気接続部品。
【請求項６】
前記一の蓄電池から電力を前記供給先へ供給する際は、前記受電コネクタには他の蓄電池が接続されることを特徴とする請求項１記載の電気接続部品。
【請求項７】
前記受電コネクタはオスコネクタであることを特徴とする請求項１記載の電気接続具。
【請求項８】
前記給電コネクタはメスコネクタであることを特徴とする請求項７記載の電気接続具。
【請求項９】
前記一の蓄電池を前記電力出力装置または前記供給先に接続する場合、正極側の短絡が負極側の短絡よりも先に行われることを特徴とする請求項１記載の電気接続具。
【請求項１０】
前記受電コネクタと前記給電コネクタと前記蓄電池接続部との間の電気的接続を開閉する開閉機構を備え、
前記開閉機構は、
前記受電コネクタ、前記給電コネクタ及び前記蓄電池接続部が電気的に接続された並列接続位置と、
前記受電コネクタ、前記給電コネクタ及び前記蓄電池接続部が電気的に離れた離隔位置と、の間で遷移自在であることを特徴とする請求項１記載の電気接続具。
【請求項１１】
前記開閉機構は、
前記並列接続位置と、
前記離隔位置と、
前記受電コネクタ及び前記給電コネクタが電気的に接続されるとともに、前記蓄電池接続部が前記受電コネクタ及び前記給電コネクタから電気的に離れたスルー接続位置と、
の間で遷移自在であることを特徴とする請求項１０記載の電気接続具。
【請求項１２】
前記接続回路を収容するケースを備え、
前記受電コネクタは前記ケースの一方の面に設けられ、
前記給電コネクタは前記ケースのうち前記一方の面と反対側の面に設けられ、
前記蓄電池接続部は、前記ケースのうち、前記一方の面と前記反対側の面との間に位置する面に設けられることを特徴とする請求項４記載の電気接続具。
【請求項１３】
前記ケースは、
前記一方の面及び前記他方の面の一方に設けられた凸部と、
他方に設けられた凹部と、を有し、
前記凸部と前記凹部とは互いに嵌合可能な形状を有することを特徴とする請求項１２記載の電気接続具。
【請求項１４】
前記開閉機構は、
一部がコンセントの接触子に直接接続するプラグ電極と、一部が前記コンセントの接触子と接続するとともに、他部が前記接続回路と接続するクローズ位置と、前記コンセントの接触子が前記接続回路に対し電気的に離れたオープン位置との間で、前記プラグ電極を遷移自在にするプラグ電極遷移機構を有することを特徴とする請求項１０記載の電気接続具。
【請求項１５】
前記接続回路を収容するケースを備え、
前記プラグ電極遷移機構は、ケースに設けられ前記プラグが挿入される挿入孔を有することを特徴とする請求項１４記載の電気接続具。
【請求項１６】
前記プラグ電極を前記オープン位置側へ付勢するプラグ電極付勢部材を備えたことを特徴とする請求項１４記載の電気接続具。
【請求項１７】
前記プラグ電極と前記ケースとを連結する連結部材を備えることを特徴とする請求項１４記載の電気接続具。
【請求項１８】
（削除）
【請求項１９】
（削除）
【請求項２０】
（削除）
【請求項２１】
（削除）
【請求項２２】
（削除）
【請求項２３】
（削除）
【請求項２４】
（削除）
【請求項２５】
（削除）
【請求項２６】
電力出力装置からの電力を受ける受電コネクタと、
前記電力を供給先へ供給する給電コネクタと、
前記受電コネクタ及び前記給電コネクタを電気的に接続する接続回路と、
前記接続回路及び一の蓄電池を電気的に接続する蓄電池接続部と、を備え、
前記受電コネクタの電極部分は、前記給電コネクタの電極部分と嵌合可能なことを特徴とする電気接続部品。
【請求項２７】
電力出力装置からの電力を受ける受電コネクタと、
前記電力を供給先へ供給する給電コネクタと、
前記受電コネクタ及び前記給電コネクタを電気的に接続する接続回路と、
前記接続回路及び一の蓄電池を電気的に接続する蓄電池接続部と、を備え、
前記受電コネクタと嵌合可能な第１コネクタは、前記給電コネクタと嵌合可能な第２コネクタに対して直接嵌合可能なことを特徴とする電気接続部品。
【国際調査報告】
2014097889.tif 000024
2014097889.tif 000025
2014097889.tif 000026
2014097889.tif 000027
2014097889.tif 000028
2014097889.tif 000029
2014097889.tif 000030
2014097889.tif 000031